(57)【要約】【課題】着脱が容易で、かつ、装飾性を損なうことなく指輪の滑りを防止することができる滑り止め具を提供する。【解決手段】  滑り止め具１００は、環状のシリコンゴムであるため、指輪１０に簡単に装着することができる。そして、滑り止め具１００は、指輪１０のリング部４０の弦方向に沿ってそのリング部４０に装着された場合、滑り止め具１００の内周面上に形成された凸部５１1、５１2は、指輪１０がはめ込まれた指と指輪１０のリング部４０との間に挿入されるようになる。この場合、滑り止め具１００の凸部５１1、５１2と指との間に大きな摩擦力が生じて、指輪１０の滑りが防止される。また、指輪１０のリング部４０への装着時に滑り止め具１００は伸びた状態となっているため、リング部４０にかかる部分は、その弾性力（引張力）により、細くなっている。これにより、この部分の透明度が増して目立たなくなり、指輪１０の装飾性の低下が防止される。【選択図】図４
2008284008.tif 000002
【特許請求の範囲】
【請求項１】
指輪の滑りを防止する滑り止め具において、
前記指輪のリング部の弦方向に沿って、伸びた状態で前記リング部に装着される透明かつ環状の弾性体であって、
前記リング部に装着された状態で、前記リング部にはめ込まれた指と前記リング部との間に挿入される凸部が内周面に形成されていることを特徴とする滑り止め具。
【請求項２】
内周面における対向位置に、少なくとも一対の前記凸部が設けられた円環状の弾性体であることを特徴とする請求項１に記載の滑り止め具。
【請求項３】
一対の前記凸部が短軸方向に対向するように設けられた略楕円環状の弾性体であることを特徴とする請求項２に記載の滑り止め具。
【請求項４】
一対の前記凸部がその内周面に均等に複数組設けられた略真円環状の弾性体であることを特徴とする請求項２に記載の滑り止め具。
【請求項５】
気体が注入された略真円環状のチューブであることを特徴とする請求項１に記載の滑り止め具。
【請求項６】
シリコンゴムから成ることを特徴とする請求項１〜５のいずれか一項に記載の滑り止め具。
【発明の詳細な説明】
【技術分野】
【０００１】
本発明は、指輪の滑りを防止する滑り止め具に関する。
【背景技術】
【０００２】
装身具としての指輪は、指にしっかりと装着され、滑らないようになっているのが望ましい。しかしながら、指輪は指の根元に嵌められるのが一般的であり、指の関節を通過できる指輪を選ぶ必要があるため、常に指の根元にフィットする指輪を選ぶことができるとは限らない。また、時が経つにつれて指のサイズが変化するため、購入時には指にしっかりと装着され滑らないようになっていた指輪も、次第にフィットしなくなり、滑るようになってしまう場合もある。
【０００３】
指輪の滑りを防止するため、輪ゴムや糸などを指輪に装着することもあるが、それでは、見栄えが悪くなり、指輪を嵌めたときの装飾性が低下してしまう。このような不都合を解消すべく、指輪の滑りを防止するための種々の滑り止め具が提案されている（例えば特許文献１〜７参照）。上記特許文献１〜７に開示された滑り止め具は、指輪に簡単に装着することができるような工夫がなされているうえ、指輪の装飾性を損なわないように、指輪の内周面上（特許文献１に開示された滑り止め具）や、手のひら側の比較的目立たない位置に装着されるようになっている。
【特許文献１】登録実用新案第３１２２６５３号公報
【特許文献２】実開平５−９３１４号公報
【特許文献３】特開平７−３１３２２６号公報
【特許文献４】特開２０００−２４５５１５号公報
【特許文献５】特開平１１−２４４０１６号公報
【特許文献６】特開２００１−１２０３１４号公報
【特許文献７】特開２００２−１２５７２６号公報
【発明の開示】
【発明が解決しようとする課題】
【０００４】
しかしながら、例えば、上記特許文献１に記載の滑り止め具の場合には、その滑り止め具を指輪の内周部分に接着剤を用いて接着したりする必要があり、その装着に時間を要してしまう。
【０００５】
また、特許文献２〜７に記載の滑り止め具は、手の甲側からは見えなくても、手のひら側からは見えるので、その滑り止め具の装着により、全体的な装飾性が低下し、見映えがしなくなるという不都合があった。
【０００６】
本発明は、上記課題を解決するためになされたもので、その着脱が容易で、かつ、装飾性を損なうことなく指輪の滑りを防止することができる滑り止め具を提供することを目的とする。
【課題を解決するための手段】
【０００７】
（１）本発明は、指輪の滑りを防止する滑り止め具において、前記指輪のリング部の弦方向に沿って、伸びた状態で前記リング部に装着される透明かつ環状の弾性体であって、前記リング部に装着された状態で、前記リング部にはめ込まれた指と前記リング部との間に挿入される凸部が内周面に形成されていることを特徴とする。
【０００８】
（２）本発明の滑り止め具は、前記（１）において、内周面における対向位置に、少なくとも一対の前記凸部が設けられた円環状の弾性体であることを特徴とする。
【０００９】
（３）本発明の滑り止め具は、前記（２）において、一対の前記凸部が短軸方向に対向するように設けられた略楕円環状の弾性体であることを特徴とする。
【００１０】
（４）本発明の滑り止め具は、上記（２）において、一対の前記凸部がその内周面に均等に複数組設けられた略真円環状の弾性体であることを特徴とする。
【００１１】
（５）本発明の滑り止め具は、上記（１）において、気体が注入された略真円環状のチューブであることを特徴とする。
【００１２】
（６）本発明の滑り止め具は、上記（１）〜（５）において、シリコンゴムから成ることを特徴とする。
【発明の効果】
【００１３】
上記（１）の滑り止め具によれば、指輪のリング部の弦方向に沿ってそのリング部に装着されたときに、リング部にはめ込まれた指と、リング部との間に挿入される凸部が内周面に形成されている。これにより、リング部が指に実質的にフィットするようになるうえ、指輪のリング部に装着された凸部と指との間に生ずる摩擦力が生じ、指輪の滑りが防止されるようになる。また、この滑り止め具は、環状の弾性体であるため、指輪に装着するのが極めて容易となる。さらに、この滑り止め具は、伸びた状態で指輪のリング部に装着されるので、外部から見える部分、すなわち指輪のリング部に係る部分は細くなって透明度が増すため、装飾性の低下が防止される。
【００１４】
また、上記（２）の滑り止め具によれば、一対の凸部が、指と指輪のリング部の空隙に両側から入り込むようになるため、一対の凸部と指との間の接触面積が増加するので、指輪の滑りがより確実に防止されるようになる。
【００１５】
また、上記（３）の滑り止め具によれば、一対の凸部が、楕円環状の弾性体の内周面上に、短軸方向に対向するように設けられている。楕円環状のゴムを指輪のリング部に装着すると、楕円環ゴムの長軸方向の内周面が指輪のリング部にかかるようになるのが自然であるため、一対の凸部を短軸方向に設けておけば、その凸部は、必然的に、指と指輪のリング部との間に位置するようになり、指輪の滑り防止を確実なものとすることができるようになる。
【００１６】
また、上記（４）の滑り止め具によれば、一対の凸部が、内周面に均等に複数組設けられているので、凸部の位置を気にすることなく指輪に装着することができるため、装着動作がより簡単になる。また、指に対してその凸凹面で接触するようになるので、指に均一に圧力がかからないようになるため、接触による指への圧迫感が解消され、その装着感を良好なものとすることができる。
【００１７】
また、上記（５）の滑り止め具によれば、指輪のリング部にかかる部分においては、その部分が細くなってその透明度が増すようになるので指輪の装飾性の低下が防止されるとともに、その他の部分においては、その部分に内部の空気が集中して膨張し、凸部が形成されるようになるため、その凸部が指と指輪のリング部との間の空隙に入り込み、リング部が指に実質的にフィットするようになるうえ、この凸部と指との間に摩擦力が生じ、指輪の滑りが良好に防止されるようになる。
【００１８】
また、上記（６）の滑り止め具によれば、シリコンゴムから成るので、透明性を高め、装飾性の低下を確実に防止することができる。
【発明を実施するための最良の形態】
【００１９】
以下、本発明の実施形態について、図面に基づいて詳細に説明する。
【００２０】
≪第１の実施形態≫
まず、本発明の第１の実施形態について説明する。図１（Ａ）〜図１（Ｃ）には、本発明の第１の実施形態に係る指輪の滑り止め具１００の外観が示されている。図１（Ａ）に示されるように、本実施形態に係る滑り止め具１００は、例えば、シリコンゴムから成る略真円環状の弾性体である。図１（Ａ）に示されるように、滑り止め具１００の直径は、約１０ｍｍ程度であり、図１（Ｂ）に示されるように、厚さは、薄いところで約１ｍｍ程度となっている。滑り止め具１００は、シリコンゴム製であるため、１ｍｍ程度の厚さのものを容易に製造することが可能である。
【００２１】
滑り止め具１００の内周面の対向する位置には、一対の凸部５１1、５１2が設けられている。一対の凸部５１1、５１2が形成された部分は、それ以外の部分よりも若干厚くなっている。
【００２２】
図２（Ａ）、図２（Ｂ）、図３（Ａ）〜図３（Ｃ）には、滑り止め具１００の指輪への装着手順が示されている。まず、図２（Ａ）に示されるように、滑り止め具１００を例えば左手の人指し指Ｆに装着する。上述のように、滑り止め具１００の径は、人差し指Ｆの径よりも小さいので、図２（Ｂ）に示されるように、滑り止め具１００は、人差し指Ｆに装着された場合には、伸びた状態となる。なお、一対の凸部５１1、５１2は、人差し指Ｆの側面に位置するようにしておく。
【００２３】
次に、図３（Ａ）に示されるように、右手で持った指輪１０を、滑り止め具１００が装着された左手の人差し指Ｆに沿わせる。この指輪１０は、例えば、図４（Ａ）に示されるように、台座２０と、その台座２０上に搭載される宝石３０と、リング部４０とを備えている。
【００２４】
次に、図３（Ｂ）に示されるように、指輪１０のリング部４０を、左手人差し指Ｆと滑り止め具１００との間に進入させる。そして、最終的に、図３（Ｃ）に示されるように、指輪１０のリング部４０の弦方向に沿って滑り止め具１００を指輪１０のリング部４０に装着する。
【００２５】
図４（Ｂ）には、滑り止め具１００が、指輪１０に装着された状態が示されている。図４（Ｂ）に示されるように、滑り止め具１００は、台座２０とリング部４０との間に、伸びた状態で装着されているため、リング部４０に対して完全に固定された状態となっている。
【００２６】
この状態で、滑り止め具１００は、図１（Ｃ）に示される状態となっている。図１（Ｃ）に示されるように、滑り止め具１００は、実際に指輪１０のリング部４０に装着された場合、凸部５１1、５１2が形成されている方向を短軸方向とする楕円環状に変形する。なお、図１（Ｃ）に示される状態では、実際には、図１（Ａ）に示される状態の２．５〜３倍の大きさとなっている。また、この状態で、リング部４０にかかっている部分は、弾性力により、引っ張られて細くなっている。このため、リング部４０にかかる部分の透明度が増し、目立たなくなるので、指輪１０の全体の装飾性を損なわずに済むようになる。この部分の透明度が増せば、指輪１０のリング部４０の本来の色（地金の色）の変色が防止され、下地の色（例えば、シルバー）を浮き上がらせることも可能となる。
【００２７】
図４（Ｃ）には、滑り止め具１００を装着した状態で指輪１０を指Ｆに嵌めたときのそれらの断面図が示されている。図４（Ｃ）に示されるように、凸部５１1、５１2は、リング部４０と指Ｆとの間に入り込んでいる。これにより、指Ｆは、指輪１０にフィットするようになり、シリコンゴムである凸部５１1、５１2と指との間には、大きな摩擦力が生じる。この摩擦力により、指輪１０の滑り防止が実現される。
【００２８】
なお、上述した装着手順にも示されるように、滑り止め具１００は、円環状の弾性体であるため、極めて簡単に指輪１０に装着することができ、伸びた状態で装着されているので、装着後も安定してその状態を維持することができるようになっている。なお、図２（Ａ）〜図３（Ｃ）に示される装着手順は、あくまで一例であり、本発明が、この装着手順により限定されるものでないのは勿論である。
【００２９】
また、装着対象となる指輪も、指輪１０のようなものには限られず、その弦方向に滑り止め具１００を装着可能なものであればよい。台座２０の形状や、宝石３０の種類には制限されない。
【００３０】
以上詳細に説明したように、本実施形態によれば、指輪１０のリング部４０の弦方向に沿ってそのリング部４０に装着されたときに、内周面に形成された凸部５１1、５１2は、指Ｆと指輪１０のリング部４０との間に入り込むようになるため、指Ｆとリング部４０との間の空隙がなくなってリング部４０が指Ｆに実質的にフィットするようになり、シリコンゴムである凸部５１1、５１2と指Ｆとの間に摩擦力が生じるようになるため、指輪の滑りが防止されるようになる。この滑り止め具１００は、環状のシリコンゴムであるため、指輪１０に装着するのが極めて容易である。また、滑り止め具１００は、伸びた状態で指輪１０のリング部４０に装着されるので、外部から見える部分、すなわち指輪１０のリング部４０に係る部分は細くなって透明度が増すため、装飾性の低下が防止される。
【００３１】
また、本実施形態によれば、一対の凸部５１1、５１2が、指Ｆと指輪１０のリング部４０との間の空隙に両側から入り込むようになるため、一対の凸部５１1、５１2と指Ｆとの間の接触面積が増加するので、指輪１０の滑りがより確実に防止されるようになる。
【００３２】
≪第２の実施形態≫
次に、本発明の第２の実施形態について説明する。図５（Ａ）〜図５（Ｃ）には、本実施形態に係る滑り止め具１０１の外観を示す図が示されている。図５（Ａ）に示されるように、この滑り止め具１０１は、楕円環状である点が、上記第１の実施形態に係る滑り止め具１００と異なっている。その大きさや厚みは、滑り止め具１００とほぼ同じとなっている。また、その楕円環の内周面には、一対の凸部５２1、５２2が短軸方向に沿って対向するように設けられている。図５（Ｂ）に示されるように、一対の凸部５２1、５２2は、他の部分よりもやや厚くなっている。
【００３３】
この滑り止め具１０１も、上記第１の実施形態と同様の装着方法で指輪１０に装着することができるようになっている。滑り止め具１０１は、指輪１０への装着時には、図５（Ｃ）に示されるような楕円環状となる。
【００３４】
滑り止め具１０１を、指輪１０のリング部４０に装着した場合、滑り止め具１０１の長軸方向の内周面が指輪１０のリング部４０にかかる部分となるのが自然である。この場合、凸部５２1、５２2は、必然的に、指と指輪のリング部４０との間に位置するようになるので、指輪１０の滑りを確実に防止することができる。
【００３５】
なお、環状の弾性体であるため、極めて容易に指輪１０に装着できる点、外部から見える部分が細くなって透明度が増すため、装飾性の低下が防止される点は、上記第１の実施形態の滑り止め具１００と同様である。
【００３６】
また、本実施形態によれば、一対の凸部５２1、５２2が、指Ｆと指輪１０のリング部４０との間の空隙に両側から入り込むようになるため、一対の凸部５２1、５２2と指Ｆとの間の接触面積が増大するので、指輪１０の滑りがより確実に防止される点も、上記第１の実施形態と同様である。
【００３７】
なお、図１（Ｂ）、図５（Ｂ）に示されるように、上記各実施形態に係る滑り止め具１００、１０１では、凸部５１1、５１2、５２1、５２2付近の厚みを、他の部分よりも厚くなるようにしたが、厚みをすべて均一にするようにしてもよい。これにより、滑り止め具は、さらに目立たなくなり、装飾性の低下防止をより確実なものとすることができるようになる。
【００３８】
≪第３の実施形態≫
次に、本発明の第３の実施形態について説明する。図６には、本実施形態に係る滑り止め具１０２が、一部破断して示されている。滑り止め具１０２は、チューブとなっており、その中に気体が注入されている。この気体としては、様々なものを適用することができるが、例えば空気とすることができる。チューブ内の気圧は、任意に決定することができる。滑り止め具１０２の直径や厚みは、上記第１の実施形態の滑り止め具１００と同程度である。
【００３９】
この滑り止め具１０２も、伸びた状態で指輪１０のリング部４０に装着される。このようにすれば、図７に示されるように、指輪１０のリング部４０にかかっている部分は、その弾性力（引張力）によって細くなる。これにより、指輪１０のリング部４０にかかっている部分は細くなって透明度が増すようになるため、装飾性の低下が防止される。ところで、リング部４０にかかっている部分の中の空気は、指輪１０のリング部４０に係っていない部分に移動するようになり、この部分はそこに空気が集中して膨張し、指とリング部４０との間の空隙に入り込んで、上記各実施形態の一対の凸部と同様に、凸部となる。したがって、この凸部と指との間に摩擦力が生じるため、指輪１０の滑りが良好に防止されるようになる。
【００４０】
なお、環状の弾性体であるため、極めて容易に指輪１０に装着できる点、外部から見える部分が細くなって透明度が増すため、装飾性の低下が防止される点は、上記各実施形態と同様である。
【００４１】
≪第４の実施形態≫
次に、本発明の第４の実施形態について説明する。図８（Ａ）には、本実施形態に係る滑り止め具１０３の外観を示す図が示されている。図８（Ａ）に示されるように、この滑り止め具１０３は、略真円環状の弾性体である。その大きさや厚みは、滑り止め具１００とほぼ同じとなっている。滑り止め具１０３は一対の凸部（５３1、５３2）、（５４1、５４2）、（５５1、５５2）がその内周面に均等に複数組設けられている点が、上記第１の実施形態に係る滑り止め具１００と異なっている。
【００４２】
この滑り止め具１０３も、上記第１の実施形態と同様の装着方法で指輪に装着することができるようになっている。その際には、指輪１０のリング部４０にかかる部分は、線分Ａ−Ａ’上の部分とすることもできるし、線分Ｂ−Ｂ’上の部分とすることもできるし、線分Ｃ−Ｃ’上の部分とすることもできる。
【００４３】
図８（Ｂ）、図９には、滑り止め具１０３が、指輪１０に装着された状態が示されている。図８（Ｂ）、図９に示されるように、指輪１０のリング部４０の弦方向に沿ってそのリング部４０に装着されたときに、内周面に形成された一対の凸部（５３1、５３2）、（５４1、５４2）、（５５1、５５2）のいずれかは、指Ｆと指輪１０のリング部４０との間に入り込むようになるため、シリコンゴムである凸部５３1、５３2〜５５1、５５2と指Ｆとの間の空隙が埋められ、その間に摩擦力が生じるため、指輪１０の滑りが防止されるようになる。
【００４４】
また、図８（Ｂ）に示されるように、滑り止め具１０３は、伸びた状態で指輪１０のリング部４０に装着されるので、外部から見える部分、すなわち指輪１０のリング部４０に係る部分（線分Ａ−Ａ’、線分Ｂ−Ｂ’、線分Ｃ−Ｃ’上のいずれかの細い部分）はより細くなって透明度が増すため、装飾性の低下が防止される。
【００４５】
この滑り止め具１０３によれば、一対の凸部（５３1、５３2）、（５４1、５４2）、（５５1、５５2）が、内周面に均等に複数組設けられているので、凸部の位置を気にすることなく指輪に装着することができるため、装着動作がより簡単になる。
【００４６】
また、滑り止め具１０３は、指に対してその凸凹面で接触するようになるので、指に均一に圧力がかからないようになる。この結果、接触による指への圧迫感が解消され、装着感を良好なものとすることができる。
【００４７】
なお、本実施形態では、一対の凸部の組数を３つとしたが、本発明はこれには限られず、２組であってもよいし、４組以上であってもよい。リング部４０に係る部分を細い部分とし、凸部を、指とリング部との間に位置させるようにするには、一対の凸部の組数は、奇数組であるのが望ましい。また、本実施形態では、滑り止め具１０３の外周面上にも、凸部が形成されているが、これらはなくても良い。
【００４８】
なお、本実施形態の滑り止め具１０３についても、環状の弾性体であるため、極めて容易に指輪１０に装着できる点、外部から見える部分が細くなって透明度が増すため、装飾性の低下が防止される点は、上記各実施形態の滑り止め具１００〜１０２と同様である。
【００４９】
なお、上記各実施形態によれば、滑り止め具１００〜１０３の材料としては、透明度の高いシリコンゴム製とし、指輪の装飾性の低下を防止している。シリコンゴムは、軽量で、劣化しにくく、においもなく、肌触りも良好であるため、指輪の滑り止め具の素材として好適である。なお、滑り止め具の素材は、シリコンゴムに限られず、透明性や柔軟性が高く、適当な摩擦力で指輪の滑りを有効に防止でき、人体に悪影響を与えない弾性体であれば、様々なものを用いることが可能である。
【００５０】
なお、上記各実施形態では、指輪に装着されたときに、必ず一対の凸部が形成されるような形状としたが、指輪のリング部と指との間に入り込む凸部は、１つだけであってもよいのは勿論である。
【００５１】
なお、上記各実施形態に係る滑り止め具は、円環状又は楕円環状という単純な構造となっているので、製造が簡単であり、製造コストも低減することができる。なお、滑り止め具は、円環状でなくてもよく、環状であればよい。例えば、多角形環状となっていてもよい。
【００５２】
また、上記各実施形態では、その大きさを１０ｍｍ程度とし、その厚みを１ｍｍ程度としたが、これには限られない。しかしながら、滑り止め具は、指輪に装着された時に伸びた状態となる大きさの弾性体とする必要がある。
【００５３】
また、上記各実施形態では、滑り止め具の装着位置を、指輪の台座付近としたが、これには限られず、リング部の弦方向に沿って確実に装着できるようになっていれば、装着位置は、手のひら側であってもよい。
【産業上の利用可能性】
【００５４】
以上述べたように、本発明の滑り止め具は、指輪の滑り止めに適している。
【図面の簡単な説明】
【００５５】
【図１】図１（Ａ）〜図１（Ｃ）は、本発明の第１の実施形態に係る指輪の滑り止め具の外観図である。
【図２】図２（Ａ）、図２（Ｂ）は、滑り止め具の装着手順を説明するための図（その１）である。
【図３】図３（Ａ）〜図３（Ｃ）は、滑り止め具の装着手順を説明するための図（その２）である。
【図４】図４（Ａ）は、指輪の一例を示す図であり、図４（Ｂ）は、滑り止め具が指輪に装着された状態を示す図であり、図４（Ｃ）は、それらの断面図である。
【図５】図５（Ａ）〜図５（Ｃ）は、本発明の第２の実施形態に係る指輪の滑り止め具の外観図である。
【図６】本発明の第３の実施形態に係る指輪の滑り止め具の外観斜視図である。
【図７】図１の滑り止め具が指輪に装着されたときの断面図である。
【図８】図８（Ａ）は、本発明の第４の実施形態に係る指輪の滑り止め具の形状を示す図であり、図８（Ｂ）は、図８（Ａ）の滑り止め具が指輪に装着された状態を示す図である。
【図９】図８（Ａ）の滑り止め具が、指輪に装着された状態を示す図である。
【符号の説明】
【００５６】
１０  指輪
２０  台座
３０  宝石
４０  リング部
５１1、５１2  凸部
５２1、５２2  凸部
５３1、５３2〜５５1、５５2  凸部
１００、１０１、１０２、１０３  滑り止め具
Ｆ  指
【図１】
2008284008.tif 000003
【図２】
2008284008.tif 000004
【図３】
2008284008.tif 000005
【図４】
2008284008.tif 000006
【図５】
2008284008.tif 000007
【図６】
2008284008.tif 000008
【図７】
2008284008.tif 000009
【図８】
2008284008.tif 000010
【図９】
2008284008.tif 000011